(57)【特許請求の範囲】
【請求項１】
建築資材を運搬するための建築資材運搬装置であって、
前記建築資材を搭載しうる略平面状の資材搭載部の左右両側に壁部が立設されており、前後両側が開口状態になっている荷台と、
この荷台の下側に一直線上に並ばないように取り付けられている３個以上の転動部材と、を有し、
該転動部材は、前輪および後輪からなり、
前記前輪は、左右一対であるとともに、前記後輪より大径であり、
前記前輪および前記後輪が地面に接地したときには、前記荷台が水平面から傾くとともに、前記前輪が地面に接地した状態で前記荷台がほぼ水平に支持されたときには、前記後輪が地面から浮くように構成され、
前記前輪が進行方向である前後方向に向かって転動可能な固定式であること、を特徴とする建築資材運搬装置。
【請求項２】
前記荷台の前記資材搭載部には、その上面に滑り止めシートが貼設されていることを特徴とする請求項１に記載の建築資材運搬装置。
【請求項３】
前記滑り止めシートは、前記壁部まで延設されていることを特徴とする請求項２に記載の建築資材運搬装置。
【請求項４】
前記荷台は、金属製で中空になっていることを特徴とする請求項１乃至３のいずれかに記載の建築資材運搬装置。
【発明の詳細な説明】
【技術分野】
【０００１】
本発明は、主に建築作業場において、重さ８０〜２００ｋｇ程度の重いパネルや長さ９１０〜１８２０ｍｍ程度の梁などの建築資材を運搬する際に用いられる建築資材運搬装置に関するものである。
【背景技術】
【０００２】
従来、この種の建築資材運搬装置としては、建築資材の運搬作業を簡単な操作で容易に行うことを目的として、本体部、手巻きウインチ、昇降アームおよびパネル端面把持装置とを備えたものが提案されていた（例えば、特許文献１参照）。
【先行技術文献】
【特許文献】
【０００３】
【特許文献１】特開平１０−８８８０９号公報
【発明の概要】
【発明が解決しようとする課題】
【０００４】
しかしながら、これでは、大掛かりな建築資材運搬装置になるので、これを建築作業場に搬入するときに、汎用の自動車に積載して搬入することが容易ではない。また、この建築資材運搬装置を狭い建築作業場で使用して建築資材を運搬するときには、コンパクトさに欠けるため取り扱いにくいという不都合があった。
【０００５】
本発明は、このような事情に鑑み、建築作業場に容易に搬入することができるとともに、狭い建築作業場で建築資材を運搬するときも容易に取り扱うことが可能な建築資材運搬装置を提供することを目的とする。
【課題を解決するための手段】
【０００６】
かかる目的を達成するため、請求項１に記載の発明は、建築資材を運搬するための建築資材運搬装置であって、前記建築資材を搭載しうる略平面状の資材搭載部の左右両側に壁部が立設されており、前後両側が開口状態になっている荷台と、この荷台の下側に一直線上に並ばないように取り付けられている３個以上の転動部材とを有し、該転動部材は、前輪および後輪からなり、前記前輪は、左右一対であるとともに、前記後輪より大径であり、前記前輪および前記後輪が地面に接地したときには、前記荷台が水平面から傾くとともに、前記前輪が地面に接地した状態で前記荷台がほぼ水平に支持されたときには、前記後輪が地面から浮くように構成され、前記前輪が進行方向である前後方向に向かって転動可能な固定式であることを特徴とする。
【００１０】
また、請求項２に記載の発明は、請求項１に記載の構成に加え、前記荷台の前記資材搭載部には、その上面に滑り止めシートが貼設されていることを特徴とする。
【００１１】
また、請求項３に記載の発明は、請求項２に記載の構成に加え、前記滑り止めシートは、前記壁部まで延設されていることを特徴とする。
【００１２】
さらに、請求項４に記載の発明は、請求項１乃至３のいずれかに記載の構成に加え、前記荷台は、金属製で中空になっていることを特徴とする。
【発明の効果】
【００１３】
請求項１に記載の発明によれば、建築資材運搬装置が荷台および転動部材から構成されているため、コンパクトな建築資材運搬装置を提供することができる。したがって、建築作業場に容易に搬入することができるとともに、狭い建築作業場でも容易に取り扱うことが可能となる。
【００１４】
また、請求項１に記載の発明によれば、建築資材を運搬しないときには、建築資材運搬装置をその前輪および後輪で地面に接地させて安定させることができる。一方、建築資材を運搬するときには、後輪が地面から浮いた状態で建築資材を運搬することができるので、建築資材運搬装置が旋回しやすくなり、特に狭い建築作業場において、建築資材運搬装置の使い勝手が向上するため、建築資材を効率よく運搬することが可能となる。
【００１７】
また、請求項２に記載の発明によれば、荷台の資材搭載部の上面に滑り止めシートが貼設されているため、建築資材の運搬中に、この建築資材が荷台の上で水平方向に位置ずれする事態の発生を未然に防止し、ひいては、建築資材の運搬作業を円滑に進めることができる。
【００１８】
また、請求項３に記載の発明によれば、滑り止めシートが荷台の壁部まで延設されているので、この壁部を滑り止めシートで覆って保護することができる。そのため、この建築資材運搬装置を誤って床材（フローリング）に落下させた場合でも、荷台の壁部との衝突によって床材が傷付く事態を抑制することが可能となる。同時に、建築資材運搬装置の荷台が損傷する事態をも抑制することができる。
【００１９】
さらに、請求項４に記載の発明によれば、荷台が金属製で中空になっているため、軽量かつ強固な建築資材運搬装置を実現することができる。
【図面の簡単な説明】
【００２０】
【図１】本発明の実施の形態１に係る建築資材運搬装置を示す斜視図である。
【図２】同実施の形態１に係る建築資材運搬装置を示す図であって、（ａ）はその正面図、（ｂ）はその右側面図、（ｃ）は（ａ）のＣ矢視図、（ｄ）は（ａ）のＤ矢視図である。
【図３】同実施の形態１に係る建築資材運搬装置の使用時の様子を示す正面図であって、（ａ）はパネルを載せていない状態図、（ｂ）はパネルを載せた状態図である。
【図４】本発明の実施の形態２に係る建築資材運搬装置を示す側面図である。
【図５】本発明の実施の形態３に係る建築資材運搬装置を示す図であって、（ａ）はその正面図、（ｂ）はその右側面図、（ｃ）はその平面図である。
【図６】同実施の形態３に係る建築資材運搬装置の使用時の様子を示す図であって、（ａ）はその正面図、（ｂ）はその底面図である。
【発明を実施するための形態】
【００２１】
以下、本発明の実施の形態について説明する。
【００２２】
［発明の実施の形態１］
図１乃至図３には、本発明の実施の形態１を示す。
【００２３】
この実施の形態１に係る築資材運搬装置１は、図１および図２に示すように、略Ｕ字断面状の荷台２を有している。この荷台２は、パネル（建築資材）９を搭載しうる略平面状の資材搭載部３の左右両側に壁部５が一体に立設されたものである。また、荷台２の下側には、２個の転動部材として左右一対の固定式の前輪７が前後方向（図２（ａ）左右方向）に転動する形で互いに平行に取り付けられているとともに、別の１個の転動部材として固定式の後輪８が前後方向に転動する形で取り付けられている。そして、これら３個の転動部材（左右一対の前輪７および後輪８）は、図２（ｄ）に示すように、一直線上に並んでいない。なお、この前輪７および後輪８の「固定式」とは、車輪の向き（進行方向）が固定されているという意味である。
【００２４】
ここで、荷台２は、所定の厚さ（例えば、２．３ｍｍ）の鋼板などの金属製で中空になっており、資材搭載部３の上面には、図１に示すように、タイルカーペットなどの滑り止めシート６が面ファスナー（図示せず）で着脱自在に貼設されている。さらに、資材搭載部３の内部には、図２（ａ）に示すように、１２個のナット１３、１４が溶接されている。
【００２５】
また、各前輪７はそれぞれ、図２（ａ）、（ｄ）に示すように、４本のボルト１１が４個のナット１３に螺合することにより、荷台２の資材搭載部３の前方下面に取り付けられている。これらの前輪７は、互いに平行に配置されている。さらに、後輪８は、４本のボルト１２が４個のナット１４に螺合することにより、荷台２の資材搭載部３の後方下面に取り付けられている。この後輪８は、左右一対の前輪７の後方（図２（ａ）右方）に配置されている。
【００２６】
そして、この築資材運搬装置１は、後輪８が左右一対の前輪７より小径であり、図３（ａ）に示すように、これらの前輪７および後輪８が地面１０に接地したときには、荷台２が水平面から傾くとともに、図３（ｂ）に示すように、前輪７が地面１０に接地した状態で荷台２がほぼ水平に支持されたときには、後輪８が地面１０から浮くように構成されている。
【００２７】
建築資材運搬装置１は以上のような構成を有するので、この建築資材運搬装置１をコンパクトに構成することができる。そのため、建築資材運搬装置１を建築作業場に搬入するときには、この建築資材運搬装置１を汎用の自動車に積載して容易に搬入することができる。
【００２８】
しかも、この建築資材運搬装置１は、上述したとおり、荷台２が金属製で中空になっているため、軽量かつ強固な建築資材運搬装置１を実現することができる。
【００２９】
また、この建築資材運搬装置１を用いて建築作業場でパネル９を運搬する際には、次の手順による。
【００３０】
まず、図３（ａ）に示すように、建築資材運搬装置１の前輪７および後輪８が地面１０に接地している状態で、建築資材運搬装置１の荷台２の資材搭載部３上にパネル９を搭載する。すると、パネル９は建築資材運搬装置１に斜めに保持された状態になる。
【００３１】
その後、このパネル９を建築資材運搬装置１の荷台２に搭載したままほぼ水平にする。すると、建築資材運搬装置１は、図３（ｂ）に示すように、荷台２がほぼ水平になり、後輪８が持ち上がって地面１０から浮く。
【００３２】
この状態で、パネル９を建築資材運搬装置１の荷台２に搭載したまま前方（図３（ｂ）左方）へ押して運搬する。
【００３３】
このとき、建築資材運搬装置１は、後輪８が地面１０から浮いており、左右一対の前輪７のみが地面１０に接地しているので、方向転換が容易となって旋回しやすくなる。その結果、特に狭い建築作業場において、建築資材運搬装置１の使い勝手が向上し、ひいては、パネル９を効率よく運搬することが可能となる。
【００３４】
また、この建築資材運搬装置１の荷台２は、上述したとおり、資材搭載部３の左右両側に壁部５が立設された構造を有しているので、パネル９の運搬中に、このパネル９が荷台２から左右方向に脱落する事態の発生を未然に防止し、ひいては、パネル９の運搬作業を円滑に進めることができる。
【００３５】
さらに、この建築資材運搬装置１は、上述したとおり、荷台２の資材搭載部３に滑り止めシート６が貼設されているため、パネル９の運搬中に、このパネル９が荷台２の上で水平方向（前後方向、左右方向）に位置ずれする事態の発生を未然に防止し、ひいては、パネル９の運搬作業を一層円滑に進めることができる。
【００３６】
なお、パネル９を運搬しないときには、建築資材運搬装置１をその前輪７および後輪８で地面１０に接地させて安定させることができる。
【００３７】
また、この建築資材運搬装置１は、上述したとおり、荷台２の資材搭載部３に滑り止めシート６が着脱自在に設けられているため、建築資材運搬装置１の使用に伴って滑り止めシート６が損傷した場合には、この滑り止めシート６のみを取り替えれば済む。したがって、荷台２全体を交換する場合に比べて、建築資材運搬装置１の維持費を低廉に抑えることができる。
【００３８】
なお、ここでは、１枚のパネル９を運搬する場合の手順について説明したが、複数枚（２枚以上）のパネル９を運搬する場合は、１枚のパネル９を運搬する場合の手順に準じて、これらのパネル９を一度に建築資材運搬装置１の荷台２に搭載して効率よく運搬することもできる。
【００３９】
［発明の実施の形態２］
図４には、本発明の実施の形態２を示す。
【００４０】
この実施の形態２に係る築資材運搬装置１は、図４に示すように、滑り止めシート６が荷台２の壁部５まで延設されていることを除き、上述した実施の形態１と基本的に同様であるので、同一の部材については、同一の符号を付してその説明を省略する。
【００４１】
したがって、この築資材運搬装置１では、上述した実施の形態１と同じ作用効果を奏する。これに加えて、滑り止めシート６が荷台２の壁部５まで延設されているので、この壁部５を滑り止めシート６で覆って保護することができる。そのため、この築資材運搬装置１を誤って床材（フローリング）に落下させた場合でも、荷台２の壁部５との衝突によって床材が傷付く事態を抑制することが可能となる。同時に、建築資材運搬装置１の荷台２が損傷する事態をも抑制することができる。
【００４２】
［発明の参考例］
図５および図６には、本発明の参考例を示す。
【００４３】
この参考例に係る築資材運搬装置１では、図５および図６に示すように、荷台２の下側に、１個の転動部材として自在式の前輪７が取り付けられているとともに、別の２個の転動部材として左右一対の自在式の後輪８が取り付けられている。そして、これら３個の転動部材（前輪７および左右一対の後輪８）は、図６（ｂ）に示すように、一直線上に並んでいない。また、これらの前輪７および後輪８は同径であり、図６（ａ）に示すように、前輪７および後輪８が地面１０に接地したときには、荷台２がほぼ水平に支持されるように構成されている。なお、この前輪７および後輪８の「自在式」とは、車輪の向き（進行方向）が３６０°回転するという意味である。また、荷台２には、上述した実施の形態１と異なり、資材搭載部３の上面に滑り止めシート６が貼設されていない。その他の構成については、上述した実施の形態１と基本的に同様であるので、同一の部材については、同一の符号を付してその説明を省略する。
【００４４】
建築資材運搬装置１は以上のような構成を有するので、上述した実施の形態１と同様、この建築資材運搬装置１をコンパクトに構成することができる。そのため、建築資材運搬装置１を建築作業場に搬入するときには、この建築資材運搬装置１を汎用の自動車に積載して容易に搬入することができる。
【００４５】
しかも、この建築資材運搬装置１は、上述した実施の形態１と同様、荷台２が金属製で中空になっているため、軽量かつ強固な建築資材運搬装置１を実現することができる。
【００４６】
また、この建築資材運搬装置１を用いて建築作業場で長尺の梁１９を運搬する際には、次の手順による。
【００４７】
まず、図６に示すように、この建築資材運搬装置１を２台、所定の間隔（梁１９の長さより少し短い距離）を置いて地面１０に設置する。すると、各建築資材運搬装置１はいずれも、前輪７および後輪８が地面１０に接地して荷台２がほぼ水平になる。
【００４８】
その後、これらの建築資材運搬装置１の荷台２の資材搭載部３上に梁１９の両端近傍を搭載する。すると、梁１９は２台の建築資材運搬装置１に跨る形でほぼ水平に保持された状態になる。
【００４９】
この状態で、梁１９を２台の建築資材運搬装置１の荷台２に搭載したまま前方（図６（ａ）左方）へ押して運搬する。
【００５０】
このとき、梁１９は、２台の建築資材運搬装置１の前輪７および後輪８が地面１０に接地した状態で荷台２の資材搭載部３上に搭載されて運搬されることになる。そのため、梁１９を安定して迅速に運搬することが可能となる。
【００５１】
しかも、各建築資材運搬装置１はいずれも、前輪７および後輪８がすべて自在式であるため、方向転換が容易となって旋回しやすくなる。その結果、特に狭い建築作業場において、建築資材運搬装置１の使い勝手が向上し、ひいては、長尺の梁１９を効率よく運搬することが可能となる。
【００５２】
また、各建築資材運搬装置１の荷台２はいずれも、上述した実施の形態１と同様、資材搭載部３の左右両側に壁部５が立設された構造を有しているので、梁１９の運搬中に、この梁１９が荷台２から左右方向に脱落する事態の発生を未然に防止し、ひいては、梁１９の運搬作業を円滑に進めることができる。
【００５３】
さらに、梁１９は２台の建築資材運搬装置１を用いて運搬されるので、梁１９がどれだけ長いものであっても、この梁１９を安定して運搬することができる。
【００５４】
なお、ここでは、１本の梁１９を運搬する場合の手順について説明したが、複数本（２本以上）の梁１９を運搬する場合は、１本の梁１９を運搬する場合の手順に準じて、これらの梁１９を一度に建築資材運搬装置１の荷台２に搭載して効率よく運搬することもできる。
【００５５】
［発明のその他の実施の形態およびその他の参考例の形態］
なお、上述した実施の形態１、２では、荷台２の下側に左右一対の固定式の前輪７が取り付けられている築資材運搬装置１について説明した。さらに、築資材運搬装置１を使用していないとき（図３（ａ）に示すように、左右一対の前輪７および後輪８が地面１０に接地しているとき）に、この築資材運搬装置１が勝手に移動してしまわないようにするため、ストッパー付の前輪７を用いてもよい。
【００５６】
また、上述した実施の形態１、２では、荷台２の下側に固定式の後輪８が取り付けられている築資材運搬装置１について説明した。しかし、固定式に代えて自在式を採用することも可能である。
【００５７】
さらに、上述した実施の形態１、２では、３個の転動部材（左右一対の前輪７および後輪８）を備えた築資材運搬装置１について説明したが、３個以上の転動部材が一直線上に並ばないように取り付けられる限り、種々の配列を採用することができる。例えば、前輪７および後輪８をいずれも左右一対（２個）にしてもよく、前輪７を３個にするとともに、後輪８を１個にしても構わない。
【００５８】
また、上述した実施の形態１、２では、荷台２の資材搭載部３に滑り止めシート６が面ファスナーで着脱自在に設けられている築資材運搬装置１について説明した。しかし、滑り止めシート６の耐久性が高くて損傷しにくい場合などは、滑り止めシート６を必ずしも着脱自在に設ける必要はなく、例えば、接着剤や両面テープを用いて滑り止めシート６を資材搭載部３に固定してもよい。また、パネル９の摩擦係数が大きくて資材搭載部３に対してパネル９が滑りにくい場合には、この滑り止めシート６を省くことも可能である。
【００５９】
また、上述した実施の形態１、２では、建築資材の一例としてパネル９を取り上げて説明したが、パネル９以外の建築資材（例えば、鋼製のドア、窓用の板ガラス、ＡＬＣ（軽量気泡コンクリート）製の壁板）を運搬する際に本発明を同様に適用することも勿論できる。
【００６０】
また、上述した参考例では、前輪７および後輪８が自在式の築資材運搬装置１について説明した。しかし、建築作業場が広くて建築資材運搬装置１の方向転換の必要性が低い場合などには、自在式の前輪７および後輪８に代えて固定式の前輪７および後輪８を採用することも可能である。さらに、自在式であると固定式であるとを問わず、築資材運搬装置１を使用していないときに、この築資材運搬装置１が勝手に移動してしまわないようにするため、ストッパー付の前輪７や後輪８を用いてもよい。
【００６１】
さらに、上述した参考例では、３個の転動部材（前輪７および左右一対の後輪８）を備えた築資材運搬装置１について説明したが、３個以上の転動部材が一直線上に並ばないように取り付けられる限り、種々の配列を採用することができる。例えば、前輪７および後輪８をいずれも左右一対（２個）にしてもよく、前輪７を１個にするとともに、後輪８を３個にしても構わない。
【００６２】
また、上述した参考例では、荷台２の資材搭載部３の上面に滑り止めシート６が設けられていない築資材運搬装置１について説明した。しかし、梁１９が滑りやすい場合などには、荷台２の資材搭載部３の上面に滑り止めシート６を着脱自在に、或いは固定して設けてもよいことは言及するまでもない。この場合、滑り止めシート６は、上述した実施の形態１と同様、荷台２の資材搭載部３の上面にのみ設けてもよく、また、上述した実施の形態２と同様、荷台２の資材搭載部３の上面から壁部５まで延設しても構わない。
【００６３】
また、上述した参考例では、建築資材の一例として梁１９を取り上げて説明したが、梁１９以外の建築資材（例えば、Ｈ形鋼・溝形鋼などの鋼材、チャンネル、ガス管・水道管などの配管その他の長尺物）を運搬する際に本発明を同様に適用することも勿論できる。
【００６４】
また、上述した実施の形態１〜２および参考例では、金属製で中空の荷台２を備えた築資材運搬装置１について説明したが、この荷台２の材質や形状はこれに限るわけではない。例えば、中実の合成樹脂や木材を用いて荷台２を構成しても構わない。
【００６５】
さらに、上述した実施の形態１〜２および参考例では、資材搭載部３に壁部５が一体に立設された荷台２について説明したが、資材搭載部３と壁部５とは必ずしも一体に設ける必要はない。
【産業上の利用可能性】
【００６６】
本発明は、建築作業場などにおいて建築資材（とりわけ、重い建築資材や長尺の建築資材）を運搬する際に広く適用することができる。
【符号の説明】
【００６７】
１……建築資材運搬装置
２……荷台
３……資材搭載部
５……壁部
６……滑り止めシート
７……前輪（転動部材）
８……後輪（転動部材）
９……パネル（建築資材）
１０……地面
１９……梁（建築資材）
【要約】
【課題】建築作業場などにおいて建築資材を運搬する建築資材運搬装置において、建築作業場に容易に搬入でき、狭い建築作業場で容易に取り扱えるようにする。
【解決手段】建築資材運搬装置１は、略平面状の資材搭載部３の左右両側に壁部５が立設されている略Ｕ字断面状の荷台２と、荷台２の下側に取り付けられている後輪８および左右一対の前輪７とを有している。これにより、建築資材運搬装置１をコンパクトに構成することができる。後輪８は前輪７より小径であり、前輪７および後輪８が地面に接地したときには、荷台２が水平面から傾く。前輪７が地面に接地した状態で荷台２がほぼ水平に支持されたときには、後輪８が地面から浮く。この状態で、建築資材を荷台２に搭載して前方へ押して運搬する。
【選択図】図２【図１】
0005945374.tif 000002
【図２】
0005945374.tif 000003
【図３】
0005945374.tif 000004
【図４】
0005945374.tif 000005
【図５】
0005945374.tif 000006
【図６】
0005945374.tif 000007